(57)【要約】【課題】  固定構造体と可動構造体とに跨って配索されたワイヤハーネスを保持するワイヤハーネス保持構造において、可動構造体のスライド移動に伴い発生するワイヤハーネスの余長を吸収することができ、小型で汎用性に優れたワイヤハーネスの保持構造を提供する。【解決手段】  車両ボディと当該車両ボディにスライド移動可能に組付けられている車両用スライドシート１０とに跨って配索されたワイヤハーネス１５を保持するワイヤハーネス保持構造は、シート１０にてワイヤハーネス１５の一部分を保持する可動側保持部１６と、前記車両ボディにてワイヤハーネス１５の他の部分を保持するフロア行きコネクタ１４と、を備え、可動側保持部１６からフロア行きコネクタ１４に向けて導出されたワイヤハーネス１５がシート１０のスライド移動に伴って可動側保持部１６の周りを旋回するように、可動側保持部１６がワイヤハーネス１５を保持している。【選択図】        図２
2006341692.tif 000002
【特許請求の範囲】
【請求項１】
固定構造体と当該固定構造体にスライド移動可能に組付けられている可動構造体とに跨って配索されたワイヤハーネスを保持するワイヤハーネス保持構造であって、
前記可動構造体にて前記ワイヤハーネスの一部分を保持する可動側保持部と、前記固定構造体にて前記ワイヤハーネスの他の部分を保持する固定側保持部と、を備え、
前記可動側保持部から前記固定側保持部に向けて導出された前記ワイヤハーネスが前記可動構造体のスライド移動に伴って前記可動側保持部の周りを旋回するように、前記可動側保持部が前記ワイヤハーネスを保持していることを特徴とするワイヤハーネス保持構造。
【請求項２】
前記可動側保持部が、前記ワイヤハーネスを軸支していることを特徴とする請求項１に記載のワイヤハーネス保持構造。
【請求項３】
前記可動側保持部が、前記可動構造体に固定され、軸孔および当該軸孔に連通し且つ当該軸孔の軸周りに扇状に拡開して開口する導出孔が設けられた固定部材と、前記本体の軸孔および導出孔を順次挿通されて前記可動側保持部に向けて導出された前記ワイヤハーネスに外装される補強部材と、を有し、
前記補強部材が、前記軸孔の軸周りに旋回可能に前記導出孔の開口部に支持されていることを特徴とする請求項２に記載のワイヤハーネス保持構造。
【請求項４】
前記補強部材が、長手方向に沿って環状の凹凸が交互にその外表面に形成されているコルゲートチューブであって、
前記導出孔の開口部に、前記コルゲートチューブの凹凸に嵌合し且つ前記軸孔の軸周りに円弧状に延びるガイドレールが形成されていることを特徴とする請求項３に記載のワイヤハーネス保持構造。
【請求項５】
前記固定部材の軸孔から導出された前記ワイヤハーネスが、当該固定部材に固定されていることを特徴とする請求項３または請求項４に記載のワイヤハーネス保持構造。
【請求項６】
前記ワイヤハーネスが前記固定側保持部の近傍において前記スライド移動方向と直交する方向に沿うように当該ワイヤハーネスを前記固定構造体に固定するクランプをさらに備えたことを特徴とする請求項１〜５のいずれかに記載のワイヤハーネス保持構造。
【請求項７】
前記可動側保持部および前記固定側保持部が、前記可動構造体のスライド移動方向と直交する方向に離間して配置されることを特徴とする請求項１〜６のいずれかに記載のワイヤハーネス保持構造。
【発明の詳細な説明】
【技術分野】
【０００１】
本発明は、例えば自動車の車両ボディといった固定構造体と車両ボディに対してスライド移動するスライドシートやスライドドアといった可動構造体とに跨って配索されるワイヤハーネスの保持構造に関し、特に、可動構造体のスライド移動に伴って発生するワイヤハーネスの余長を吸収するためのワイヤハーネスの保持構造に関する。
【背景技術】
【０００２】
自動車部品の中でもスライドシートやスライドドアは、車両ボディに対してスライド移動量が比較的大きな部位である。当該部位に電装品を装着するには、車両ボディとに跨ってワイヤハーネスを配索する必要があるが、ワイヤハーネスの収容性の点で難があった。
【０００３】
例えば、近年人気のワンボックスカーに用いられているスライドシートは、スライド移動量が大きいため、図５に示すように、スライドシート５のスライド移動に伴いワイヤハーネス６には余長が発生し、ワイヤハーネス６の弛みに足を引っ掛けるなどの問題が生じ得る。
【０００４】
そこで、スライドシートと車両ボディとの間に配索されたワイヤハーネスをスライドシートのスライド移動に応じて伸縮させるワイヤハーネスの保持構造が提案されている（例えば、特許文献１参照）。
【０００５】
特許文献１に開示されたワイヤハーネスの保持構造は、図６に示すように、長手方向をスライドシートのスライド移動方向に平行に配されたプロテクタ１と、プロテク１の前端に設けられた固定側コネクタ２と、プロテクタ１の長手方向にスライド移動可能に当該プロテクタ１に係合し且つスライドシートに接続されるスライダ３とを備える。
【０００６】
ワイヤハーネス４は、略Ｕ字形状に折り返されてプロテクタ１内に収納され、その一端を固定側コネクタ２に接続され、他端をスライダ３に接続される。スライダ３のスライド移動に伴い、ワイヤハーネス４はその折り返し部分をスライド移動方向に沿って前後に移動させながらプロテクタ１内で伸縮する。これにより、スライダ３のスライド移動に伴い発生するワイヤハーネス４の余長が吸収される。
【０００７】
【特許文献１】特開平１０−１１２９２２号公報
【発明の開示】
【発明が解決しようとする課題】
【０００８】
特許文献１に開示されたワイヤハーネスの保持構造においては、固定側コネクタ２とスライダ３とは、スライダ３のスライド移動方向に整列されており、固定側コネクタ２から延びるワイヤハーネス４は、スライダ３の後方に引き回された後に、略Ｕ字形状に折り返されて後方からスライダ３に接続される。換言すれば、ワイヤハーネス４は、スライダ３から固定側コネクタ２に向けて、常にスライダ３の後方に導出される。
【０００９】
そして、ワイヤハーネス４の折り返し部分での極端な屈曲による損傷を回避するため、図７に示すワイヤハーネス４の最伸長状態において、折り返し部分の屈曲半径を許容値以上に保つための余剰長さＬがスライダ３の後方に確保される。
【００１０】
このことは、ワイヤハーネスの保持構造の小型化に不利となる虞がある。即ち、電流容量が必要な一般電線（アース線）が併設されたものなどの太径のワイヤハーネスでは許容屈曲半径が大きくなる傾向にあり、これに伴い余剰長さＬも大きく設定する必要があるので、ワイヤハーネスの保持構造の小型化に不利となる虞がある。また、スライドシートのストロークやワイヤハーネスの屈曲半径に合わせて車種毎に専用設計となり、汎用性に劣るという問題がある。
【００１１】
本発明は、このような事情に鑑みてなされたものであり、その目的は、固定構造体と可動構造体とに跨って配索されたワイヤハーネスを保持するワイヤハーネス保持構造において、可動構造体のスライド移動に伴い発生するワイヤハーネスの余長を吸収することができ、小型で汎用性に優れたワイヤハーネスの保持構造を提供することにある。
【課題を解決するための手段】
【００１２】
上記目的は、本発明に係る下記（１）〜（７）のワイヤハーネス保持構造により達成される。
【００１３】
（１）固定構造体と当該固定構造体にスライド移動可能に組付けられている可動構造体とに跨って配索されたワイヤハーネスを保持するワイヤハーネス保持構造であって、前記可動構造体にて前記ワイヤハーネスの一部分を保持する可動側保持部と、前記固定構造体にて前記ワイヤハーネスの他の部分を保持する固定側保持部と、を備え、前記可動側保持部から前記固定側保持部に向けて導出された前記ワイヤハーネスが前記可動構造体のスライド移動に伴って前記可動側保持部の周りを旋回するように、前記可動側保持部が前記ワイヤハーネスを保持していることを特徴とするワイヤハーネス保持構造。
（２）前記可動側保持部が、前記ワイヤハーネスを軸支していることを特徴とする上記（１）に記載のワイヤハーネス保持構造。
（３）前記可動側保持部が、前記可動構造体に固定され、軸孔および当該軸孔に連通し且つ当該軸孔の軸周りに扇状に拡開して開口する導出孔が設けられた固定部材と、前記本体の軸孔および導出孔を順次挿通されて前記可動側保持部に向けて導出された前記ワイヤハーネスに外装される補強部材と、を有し、前記補強部材が、前記軸孔の軸周りに旋回可能に前記導出孔の開口部に支持されていることを特徴とする上記（２）に記載のワイヤハーネス保持構造。
（４）前記補強部材が、長手方向に沿って環状の凹凸が交互にその外表面に形成されているコルゲートチューブであって、前記導出孔の開口部に、前記コルゲートチューブの凹凸に嵌合し且つ前記軸孔の軸周りに円弧状に延びるガイドレールが形成されていることを特徴とする上記（３）に記載のワイヤハーネス保持構造。
（５）前記固定部材の軸孔から導出された前記ワイヤハーネスが、当該固定部材に固定されていることを特徴とする上記（３）または（４）に記載のワイヤハーネス保持構造。
（６）前記ワイヤハーネスが前記固定側保持部の近傍において前記スライド移動方向と直交する方向に沿うように当該ワイヤハーネスを前記固定構造体に固定するクランプをさらに備えたことを特徴とする上記（１）〜（５）のいずれかに記載のワイヤハーネス保持構造。
（７）前記可動側保持部および前記固定側保持部が、前記可動構造体のスライド移動方向と直交する方向に離間して配置されることを特徴とする上記（１）〜（６）のいずれかに記載のワイヤハーネス保持構造。
【００１４】
上記（１）記載のワイヤハーネス保持構造によれば、可動側保持部から前記固定側保持部に向けて導出されたワイヤハーネスが可動構造体のスライド移動に伴って可動側保持部の周りを旋回することにより、可動構造体のスライド移動によって発生するワイヤハーネスの余長が吸収される。これにより、ワイヤハーネスを弛みなく配索することができる。
そして、ワイヤハーネスが旋回し、ワイヤハーネスの最伸長状態でワイヤハーネスの可動側保持部からの導出方向が固定側保持部に向くことにより、より短いワイヤハーネスで可動側保持部と固定側保持部との間を繋ぐことができる。これにより、ワイヤハーネス保持構造の小型化を図ることができる。
【００１５】
上記（２）記載のワイヤハーネス保持構造によれば、可動側保持部から固定側保持部に向けて導出されたワイヤハーネスが可動側保持部の周りを旋回することができる。
【００１６】
上記（３）記載のワイヤハーネス保持構造によれば、ワイヤハーネスが、導出孔から導出された直後に屈曲することがないよう、補強部材により補強されており、当該補強部材が軸孔の軸周りに旋回可能に前記導出孔の開口部に支持されている。これにより、固定側保持部に向けて導出孔から導出されたワイヤハーネスが可動側保持部の周りを旋回することができる。
【００１７】
上記（４）記載のワイヤハーネス保持構造によれば、補強部材をコルゲートチューブとし、コルゲートチューブの外表面に形成されている凹凸と導出孔の開口部に形成されたガイドレールとによって、コルゲートチューブを旋回方向に案内すると共にコルゲートチューブの導出孔の開口部からの抜脱を防止することができる。
【００１８】
上記（５）記載のワイヤハーネス保持構造によれば、導出孔から導出されたワイヤハーネスの旋回に伴い、主に軸孔に収容されているワイヤハーネスに捻転が生じる。これにより、ワイヤハーネスに作用する応力を緩和することができる。
【００１９】
上記（６）記載のワイヤハーネス保持構造によれば、ワイヤハーネスは、固定側保持部の近傍において、その一部をスライド移動方向と直交する方向に沿わせた状態に固定される。これにより、可動構造体のスライド移動方向と直交する方向に離間して配置された可動側保持部と固定側保持部との間で、ワイヤハーネスの挙動を安定させ、弛みの発生を抑制することができる。
【００２０】
上記（７）記載のワイヤハーネス保持構造によれば、ワイヤハーネスの旋回による余長吸収能の範囲内で、スライド移動方向と直交する方向の可動側保持部および固定側保持部の離間距離を適宜調節することにより、スライド移動量の異なる種々の可動構造体に適用可能であり、汎用性に優れる。
【発明の効果】
【００２１】
本発明によれば、固定構造体と可動構造体とに跨って配索されたワイヤハーネスを保持するワイヤハーネス保持構造において、可動構造体のスライド移動に伴い発生するワイヤハーネスの余長を吸収することができ、小型で汎用性に優れたワイヤハーネスの保持構造を提供することができる。
【発明を実施するための最良の形態】
【００２２】
以下、本発明の好適な実施形態を図を参照して説明する。
図１は本発明の第１実施形態であって、ワイヤハーネス保持構造が適用された車両用スライドシートの斜視図、図２は図１に示すワイヤハーネス保持構造の要部の分解斜視図、図３は図２に示す要部の組立斜視図、図４は図１に示すワイヤハーネス保持構造の動作を説明する図であって、車両用スライドシートの底面側から見た平面図、図５は本発明の第２実施形態であって、ワイヤハーネス保持構造が適用された車両用スライドシートの斜視図である。
【００２３】
まず、車両用スライドシートのスライド移動構造から説明する。
図１に示すように、車両用スライドシート（可動構造体）１０の底面には、不図示の車両ボディ（固定構造体）の前後方向に延びる一対のスライダ１１，１１が、シート１０の幅方向に離間して平行に取り付けられており、各スライダ１１の前端部は、一対のスライダ１１，１１間に横架された連結バー１２によって互いに連結されている。
【００２４】
そして、車両ボディのフロアには一対のガイドレール１３，１３が、一対のスライダ１１，１１に対応して、車両ボディの前後方向に延在している。各スライダ１１が、対応するガイドレール１３に沿って移動することで、シート１０が、車両ボディの前後方向にスライド移動する。
【００２５】
そして、車両ボディとシート１０とに跨ってワイヤハーネス１５が配索されており、本実施形態のワイヤハーネス保持構造は、シート１０にてワイヤハーネス１５を保持する可動側保持部１６と、車両ボディにてワイヤハーネスを保持する固定側保持部と、を備えている。
【００２６】
固定側保持部は、一方のガイドレール１３の前端部内側に取り付けられたフロア行きコネクタ１４とされており、ワイヤハーネス１５の一端が接続されている。また、可動側保持部１６は、連結バー１２に取り付けられ、ワイヤハーネス１５の一部分を保持している。
【００２７】
図２および図３に示すように、可動側保持部１６は、コルゲートチューブ１７と、シート１０に固定された固定部材１８とを含み、いずれも合成樹脂により形成されている。
【００２８】
固定部材１８には、当該固定部材１８の上面に開口して鉛直下方に延びる軸孔２４と、軸孔２４の下端に連通する導出孔２５とが設けられている。導出孔２５の開口部２５ａは、軸孔２４の軸周りに所定の中心角度（図示の例では略９０度）で扇状に拡開して開口するように形成されている。
【００２９】
ワイヤハーネス１５は、固定部材１８の軸孔２４と導出孔２５との接続部分で屈曲されながら、軸孔２４および導出孔２５を順次挿通されてフロア行きコネクタ１４に向けて導出される。導出孔２５から導出されたワイヤハーネス１５には、所定の長さにわたってコルゲートチューブ１７が外装されている。コルゲートチューブ１７は、適宜の剛性を有し、ワイヤハーネス１５が導出孔２５から導出された直後に屈曲することがないように当該ワイヤハーネス１５を補強している。
【００３０】
コルゲートチューブ１７は、長手方向に沿って環状の凹凸１９が交互にその外表面に形成されており、一端部を導出孔２５の開口部２５ａに装入されている。導出孔２５の開口部２５ａの周縁部には、コルゲートチューブ１７の一端部の凹凸１９に嵌合し且つ軸孔２４の軸周りに円弧状に延びるガイドレール２０が形成されている。コルゲートチューブ１７は、ガイドレール２０に案内されて軸孔２４の軸周りに旋回可能に導出孔２５の開口部２５ａに支持され、ガイドレール２０により導出孔２５の開口部２５ａからの抜脱を規制されている。
【００３１】
軸孔２４はワイヤハーネス１５よりも大径に形成されており、よって、ワイヤハーネス１５は軸孔２４内において回転可能に軸支されている。軸孔２４から導出されたワイヤハーネス１５は、軸孔２４の開口縁部に隣接する位置に立設されている支持片２６に、例えば粘着テープ３０等の結束部材で束ねられるなどして強固に固定されている。このため、導出孔２５から導出されたワイヤハーネス１５がコルゲートチューブ１７とともに軸孔２４の軸周りに旋回することに伴い、ワイヤハーネス１５の主に軸孔２４に収容されている部分に捻転が生じる。
【００３２】
このように構成された可動側保持部１６は、固定部材１８に設けられたフック３１を連結バー１２に設けられた係止孔３２（図４参照）に係合させることで、連結バー１２に取り付けられている。尚、図４に示すように、係止孔３２は、連結バー１２の長手方向に所定の間隔をおいて複数設けられており、フック３１を適宜な係止孔３２に係合させることで、シート１０の幅方向、即ち、シート１０のスライド移動方向と直交する方向（尚、本実施形態においてはフロアに水平なシート１０の幅方向であるが、本発明におけるスライド移動方向と直交する方向は、フロアに水平、垂直、およびそれらの合成をも含む）に沿ったフロア行きコネクタ１４と可動側保持部１６との離間距離が調節可能となっている。
【００３３】
次に、図４を参照して、上述のワイヤハーネス保持構造の動作を説明する。
図４（ａ）〜（ｄ）は、順次、シート１０が前方にスライド移動する様を示す。
【００３４】
図４（ａ）に示す初期状態において、フロア行きコネクタ１４は、シート１０の幅方向に離間して、可動側保持部１６の前方に位置している。コルゲートチューブ１７は略前方に向けて延びている。
【００３５】
図４（ａ）から図４（ｂ）に示す状態にシート１０が前方にスライド移動することによりフロア行きコネクタ１４と可動側保持部１６とが接近する。このため、ワイヤハーネス１５に余長が発生してワイヤハーネス１５が屈曲するが、ワイヤハーネス１５の剛性（復元力）によりコルゲートチューブ１７にトルクが作用し、コルゲートチューブ１７が軸孔２４の軸周りに旋回する。そして、コルゲートチューブ１７とともにワイヤハーネス１５が旋回し、コルゲートチューブ１７の先端からのワイヤハーネス１５の導出方向が軸孔２４の軸周りに変化する。これにより、ワイヤハーネス１５の余長が吸収される。
【００３６】
そして、図４（ｂ）から図４（ｃ），（ｄ）に示す状態にシート１０が前方にスライド移動すると、フロア行きコネクタ１４と可動側保持部１６とが離間する。すると、ワイヤハーネス１５に引っ張られてコルゲートチューブ１７が旋回する。コルゲートチューブ１７が旋回し、図４（ｄ）に示すワイヤハーネス１５の最伸長状態でコルゲートチューブ１７の先端がフロア行きコネクタ１４に向くことで、より短いワイヤハーネス１５で可動側保持部１６とフロア行きコネクタ１４との間を繋ぐことができ、これにより、ワイヤハーネス保持構造の小型化が図られている。
【００３７】
ここで、ワイヤハーネス１５がコルゲートチューブ１７とともに軸孔２４の軸周りに旋回することに伴い、ワイヤハーネス１５の主に軸孔２４に収容されている部分に捻転が生じており、これにより、ワイヤハーネス１５に加わる応力が緩和されている。
【００３８】
また、ワイヤハーネス１５は、フロア行きコネクタ１４の近傍においてシート１０の幅方向に沿うように、クランプ３３によって車両ボディに固定されている。これにより、ワイヤハーネス１５の挙動が安定し、且つ弛みの発生が規制されている。
【００３９】
更に、可動側保持部１６を構成するコルゲートチューブ１７及び固定部材１８がいずれも合成樹脂製とされており、リサイクル性に優れる。
【００４０】
なお、本発明は上述した各実施形態に限定されるものではなく、本発明の要旨を逸脱しない範囲において適宜変更可能である。
【図面の簡単な説明】
【００４１】
【図１】本発明の第１実施形態であって、ワイヤハーネス保持構造が適用された車両用スライドシートの斜視図である。
【図２】図１に示すワイヤハーネス保持構造の要部の分解斜視図である。
【図３】図２に示す要部の組立斜視図である。
【図４】図１に示すワイヤハーネス保持構造の動作を説明する図であって、車両用スライドシートの底面側から見た平面図である。
【図５】スライドシートのスライド移動に伴いワイヤハーネスに余長が発生する状態を示す斜視図である。
【図６】従来のワイヤハーネス保持構造の分解斜視図である。
【図７】図６に示すワイヤハーネス保持構造の動作を説明する平面図である。
【符号の説明】
【００４２】
１０  車両用スライドシート（可動構造体）
１４  フロア行きコネクタ（固定側保持部）
１５  ワイヤハーネス
１６  可動側保持部
１７  コルゲートチューブ（補強部材）
１８  固定部材
１９  コルゲートチューブの凹凸
２０  ガイドレール
２４  軸孔
２５  導出孔
３３  クランプ
【図１】
2006341692.tif 000003
【図２】
2006341692.tif 000004
【図３】
2006341692.tif 000005
【図４】
2006341692.tif 000006
【図５】
2006341692.tif 000007
【図６】
2006341692.tif 000008
【図７】
2006341692.tif 000009